(57)【要約】【課題】収納間口方向両側に棚受部材の取り付けが可能でありながらも、棚支持部材の収納間口方向に沿う寸法の薄型化を図り得る収納装置を提供する。【解決手段】収納装置１は、収納間口方向両側に配される棚板９を保持する棚受部材１０が収納間口方向両側のそれぞれに取り付けられる棚支持部材２０を備えており、前記棚受部材には、前記棚支持部材の収納間口方向両側のそれぞれにおいて開口するように設けられた差込孔２６，２８に差し込まれる差込片１５が設けられ、前記棚支持部材の収納間口方向両側の差込孔は、互いに同高さに位置するように、かつ収納間口方向に見て重なり合わない位置となるように設けられている。【選択図】図１
2020192110.tif 000002
【特許請求の範囲】
【請求項１】
収納間口方向両側に配される棚板を保持する棚受部材が収納間口方向両側のそれぞれに取り付けられる棚支持部材を備えており、
前記棚受部材には、前記棚支持部材の収納間口方向両側のそれぞれにおいて開口するように設けられた差込孔に差し込まれる差込片が設けられ、前記棚支持部材の収納間口方向両側の差込孔は、互いに同高さに位置するように、かつ収納間口方向に見て重なり合わない位置となるように設けられていることを特徴とする収納装置。
【請求項２】
請求項１において、
前記棚支持部材の収納間口方向両側の差込孔は、平面視して点対称状の位置となるように設けられていることを特徴とする収納装置。
【請求項３】
請求項２において、
前記棚支持部材には、上下の設置方向を確認可能な目印が設けられていることを特徴とする収納装置。
【請求項４】
請求項１乃至３のいずれか１項において、
前記棚支持部材の収納間口方向両側には、収納奥行方向に間隔を空けて複数の前記差込孔が設けられ、前記棚受部材には、これら複数の差込孔のそれぞれに差し込まれる複数の差込片が設けられていることを特徴とする収納装置。
【発明の詳細な説明】
【技術分野】
【０００１】
本発明は、収納装置に関する。
【背景技術】
【０００２】
従来より、棚板を有し、住居等の建物内に設置される収納装置が知られている。このような収納装置においては、収納間口（幅）方向に複数の収納空間を区分する複数の側板や支柱等の棚支持部材を有し、これら棚支持部材の収納間口方向両側のそれぞれに棚板の保持が可能な構成とされたものも知られている。
例えば、下記特許文献１には、床面に立設される複数本の支柱の左右の側面の巾方向（収納奥行方向）の中央位置に、棚受け板に設けられた引っ掛け片が挿通される挿通穴を設けた構成とされた収納ラックの棚受け板の取り付け構造が開示されている。
【先行技術文献】
【特許文献】
【０００３】
【特許文献１】特開２００３−２３５６５２号公報
【発明の概要】
【発明が解決しようとする課題】
【０００４】
しかしながら、上記特許文献１に記載された取り付け構造では、支柱の左右の側面のそれぞれの巾方向の中央位置に挿通穴を設けた構成とされている。そのため、これら挿通穴に挿通された引っ掛け片同士が支柱内において干渉しないように、支柱の左右方向（収納間口方向）に沿う寸法を大きくする必要があった。
【０００５】
本発明は、上記実情に鑑みてなされたものであり、収納間口方向両側に棚受部材の取り付けが可能でありながらも、棚支持部材の収納間口方向に沿う寸法の薄型化を図り得る収納装置を提供することを目的としている。
【課題を解決するための手段】
【０００６】
上記目的を達成するために、本発明に係る収納装置は、収納間口方向両側に配される棚板を保持する棚受部材が収納間口方向両側のそれぞれに取り付けられる棚支持部材を備えており、前記棚受部材には、前記棚支持部材の収納間口方向両側のそれぞれにおいて開口するように設けられた差込孔に差し込まれる差込片が設けられ、前記棚支持部材の収納間口方向両側の差込孔は、互いに同高さに位置するように、かつ収納間口方向に見て重なり合わない位置となるように設けられていることを特徴とする。
【発明の効果】
【０００７】
本発明に係る収納装置は、上述のような構成としたことで、収納間口方向両側に棚受部材の取り付けが可能でありながらも、棚支持部材の収納間口方向に沿う寸法の薄型化を図ることができる。
【図面の簡単な説明】
【０００８】
【図１】（ａ）、（ｂ）は、本発明の一実施形態に係る収納装置の一例を模式的に示し、（ａ）は、一部破断概略側面図、（ｂ）は、図１（ａ）におけるＸ−Ｘ線矢視に対応させた一部破断概略横断面図である。
【図２】（ａ）は、同収納装置の一部破断概略斜視図、（ｂ）は、同収納装置が備える棚受部材の一例を模式的に示す一部破断概略斜視図である。
【図３】同収納装置の概略斜視図である。
【発明を実施するための形態】
【０００９】
以下に本発明の実施の形態について、図面に基づいて説明する。
なお、一部の図では、他図に付している詳細な符号の一部を省略している。
また、以下の実施形態では、本実施形態に係る収納装置を施工した状態を基準として上下方向等の方向を説明する。
【００１０】
本実施形態に係る収納装置１は、図３に示すように、収納間口方向両側に配される棚板９を保持する棚受部材１０が収納間口方向両側のそれぞれに取り付けられる棚支持部材２０を備えている。
図例では、この収納装置１を、住居等の建物の第１壁面２に沿わせるように設置した例を示している。この収納装置１の第１壁面２側が、当該収納装置１の収納奥行方向奥側となり、収納奥行方向及び上下方向に直交する方向が収納間口方向となる。また、この収納装置１の収納間口方向一方側を、第１壁面２に対して直交状に設けられた第２壁面３に沿わせて収納装置１を設置した例を示している。つまり、この収納装置１を、第１壁面２と第２壁面３との入隅部に設置した例を示している。なお、この収納装置１は、収納間口方向両側を壁面に沿わせて設置されるものでもよい。
【００１１】
また、この収納装置１は、壁面収納を構成するように設置されるものでもよく、いわゆるウォークインクローゼット等の収納室内に設置されるものでもよい。また、図例では、第１壁面２に沿わせて収納装置１を一列状（Ｉ字状）に設置した例を示しているが、Ｌ字状やＵ字状（コ字状）となるように、複数の収納装置１を各壁面２，３に沿わせて設置した態様等としてもよい。また、図例のように、Ｉ字状に収納装置１を設置した場合には、収納奥行方向手前側に、適宜の扉を設けた構成としてもよい。また、Ｌ字状やＵ字状（コ字状）となるように収納室内に複数の収納装置１を設置した場合には、収納室の開口を開閉する適宜の扉を設けた構成としてもよい。
【００１２】
この収納装置１は、収納間口方向に間隔を空けて配される複数（図例では、４つ）の棚支持部材２０を備えている。つまり、図例では、これら４つの棚支持部材２０によって収納間口方向に３つの収納空間を区分した例を示している。これら棚支持部材２０は、互いに同様の構成とされている。
また、本実施形態では、これら棚支持部材２０を、収納奥行方向に沿う寸法が棚板９の収納奥行方向に沿う寸法よりも小とされた支柱状とされたものとしている。また、これら棚支持部材２０を、棚板９の収納奥行方向略中央部に配される構成としている。なお、このような態様に代えて、棚支持部材２０を、収納奥行方向に沿う寸法が棚板９の収納奥行方向に沿う寸法と同程度とされた側板状とされたものとしてもよい。
また、本実施形態では、収納装置１は、これら棚支持部材２０の下端部に固定され、床４上に設置される支持脚２９を備えている。この支持脚２９は、棚支持部材２０の高さ位置の調整を可能とするアジャスター機能を備えた構成とされたものでもよい。なお、棚支持部材２０の具体的構成については後述する。
【００１３】
また、収納装置１は、棚支持部材２０の上端部に固定され、天板６を保持する天板保持部材５を備えている。この天板保持部材５は、収納奥行方向に延びるように長尺状とされ、天板６の収納間口方向側端部を保持する構成とされている。この天板保持部材５の収納奥行方向奥側端部が、第１壁面２に対して適宜の固定金具等を介して固定され、棚支持部材２０の上端側が第１壁面２に対して固定保持される構成としてもよい。
天板６は、収納間口方向に隣り合う棚支持部材２０，２０の天板保持部材５，５間に架け渡されるように設けられる。つまり、本実施形態では、収納間口方向に３枚の天板６を設けた構成としている。これら天板６は、天井との間の天袋収納を構成する天袋棚板として機能するものでもよい。なお、このように収納間口方向に複数の天板６を設けた態様に代えて、収納間口方向に沿う寸法が収納装置１の収納間口方向に沿う寸法に応じた寸法とされた一枚の天板６を設けた態様等としてもよい。さらには、このような天板６を設けていない態様としてもよい。この場合は、天板保持部材５を設けた態様に代えて、棚支持部材２０の上端部が天井等の適宜の固定対象に固定されるものでもよい。
【００１４】
また、収納装置１は、収納間口方向に隣り合う棚支持部材２０，２０間に架け渡されるように設けられる棒状の吊下部材７及び板状の棚板９を備えている。本実施形態では、収納装置１に、複数本の吊下部材７及び複数枚の棚板９を設けた例を示しているが、このような態様に限られない。
また、収納装置１は、収納間口方向に隣り合う棚支持部材２０，２０の下端側部位間において床４上に設置される収納箱８を備えている。図例では、この収納箱８に複数段の抽斗を設けた例を示している。
また、本実施形態では、収納装置１に、収納奥行方向奥側を区画する背板を設けていない構成としている。つまり、収納装置１の各収納空間の収納奥行方向奥側は、第１壁面２によって区画されている。なお、このような態様に代えて、背板を設けた構成としてもよい。また、収納装置１は、棚支持部材２０，２０間に設けられる部材として少なくとも棚板９を備えた構成とされたものであればよく、設置箇所や用途等に応じて、適宜の部材を備えた構成としてもよい。
【００１５】
棚支持部材２０は、上下に長尺状とされている。この棚支持部材２０には、図１（ａ）、（ｂ）に示すように、収納間口方向両側のそれぞれにおいて開口し、棚受部材１０に設けられた差込片１５が差し込まれる差込孔２６，２８が設けられている。これら収納間口方向両側の差込孔２６，２８は、互いに同高さに位置するように、かつ収納間口方向に見て重なり合わない位置となるように設けられている。このような構成とすれば、棚支持部材２０の収納間口方向両側の差込孔２６，２８のそれぞれに棚受部材１０の差込片１５を差し込んで棚受部材１０を棚支持部材２０の収納間口方向両側に取り付けることができる。また、棚支持部材２０の収納間口方向両側の差込孔２６，２８のそれぞれに差し込まれた差込片１５が収納奥行方向でずれた位置となり、干渉することがないので、棚支持部材２０の収納間口方向に沿う寸法の薄型化を図ることができる。これにより、棚支持部材２０間の収納空間の間口（幅）寸法を効果的に大きくすることができ、また、棚支持部材２０をすっきりとした外観にすることができる。
【００１６】
本実施形態では、棚支持部材２０の収納間口方向両側に、収納奥行方向に間隔を空けて複数の差込孔として第１差込孔２６，２６及び第２差込孔２８，２８を設けた構成としている。また、棚受部材１０に、これら第１差込孔２６及び第２差込孔２８のそれぞれに差し込まれる複数（本実施形態では、２つ）の差込片１５，１５を設けた構成としている。このような構成とすれば、棚支持部材２０に対して棚受部材１０を安定的に支持させることができる。
この棚支持部材２０は、収納奥行方向に沿う寸法よりも収納間口方向に沿う寸法が小とされている。また、本実施形態では、棚支持部材２０を、長手方向に貫通する中空部２１が設けられた略四角筒状としている。この棚支持部材２０は、収納奥行方向両側の端壁部２２，２２と、収納間口方向両側の側壁部２４，２４と、を備え、これらによって中空部２１を区画している。
【００１７】
各側壁部２４，２４には、収納奥行方向に間隔を空けて第１差込孔２６，２６と第２差込孔２８，２８とがそれぞれに設けられている。これら第１差込孔２６，２６及び第２差込孔２８，２８は、各側壁部２４，２４を貫通して設けられている。また、これら第１差込孔２６，２６及び第２差込孔２８，２８は、棚支持部材２０の長手方向に長尺な長孔状とされている。図例では、これら第１差込孔２６，２６及び第２差込孔２８，２８の収納奥行方向に沿う孔幅寸法を、長手方向の全体に亘って均一状とした例を示しているが、このような態様に代えて、これらの上側部位の孔幅寸法を下側部位の孔幅寸法よりも大としてもよい。例えば、第１差込孔２６，２６及び第２差込孔２８，２８の下側部位の孔幅寸法を、後記する差込片１５の厚さ寸法に応じた寸法とし、これらの上側部位の孔幅寸法を、差込片１５が差し込み易いように差込片１５の厚さ寸法よりも大としたような構成としてもよい。
【００１８】
また、これら第１差込孔２６，２６及び第２差込孔２８，２８は、棚支持部材２０の長手方向に間隔を空けて複数箇所に設けられている。このような構成とすれば、棚支持部材２０に複数の棚受部材１０を取り付けたり、棚受部材１０の取付高さ位置を変更したりすることができる。つまり、棚支持部材２０に上下に間隔を空けて複数の棚板９を保持させたり、棚板９の高さ位置を変更したりすることができる。
また、本実施形態では、これら第１差込孔２６，２６及び第２差込孔２８，２８は、平面視して点対称状の位置となるように設けられている。このような構成とすれば、棚支持部材２０の収納間口方向両側のそれぞれに取り付けられる棚受部材１０の共通化を図ることができる。つまり、棚支持部材２０の収納間口方向一方側に取り付けられる棚受部材１０を上下方向に沿う軸回りに１８０度回転させれば、棚支持部材２０の収納間口方向他方側に取り付け可能となる。また、棚支持部材２０を、上下方向に沿う軸回りに１８０度反転させても設置可能な構成とでき、設置する際における作業性を向上させることができる。
【００１９】
また、両側の側壁部２４，２４のうちの一方の第１側壁部２４Ａの第１差込孔２６と他方の第２側壁部２４Ｂの第１差込孔２６とが平面視して点対称状の位置となるように設けられている。また、第１側壁部２４Ａの第２差込孔２８と第２側壁部２４Ｂの第２差込孔２８とが平面視して点対称状の位置となるように設けられている。
第１側壁部２４Ａの第１差込孔２６及び第２側壁部２４Ｂの第２差込孔２８は、収納奥行方向で、両側の端壁部２２，２２のうちの一方の第１端壁部２２Ａ側に位置するように設けられている。これら第１端壁部２２Ａ側の第１側壁部２４Ａの第１差込孔２６と第２側壁部２４Ｂの第２差込孔２８とは、これらに差し込まれた差込片１５，１５同士が干渉しないように、収納奥行方向にずれた位置となるように設けられている。
また、第１側壁部２４Ａの第２差込孔２８及び第２側壁部２４Ｂの第１差込孔２６は、収納奥行方向で、他方の第２端壁部２２Ｂ側に位置するように設けられている。これら第１側壁部２４Ａの第２差込孔２８と第２側壁部２４Ｂの第１差込孔２６とは、これらに差し込まれた差込片１５，１５同士が干渉しないように、収納奥行方向にずれた位置となるように設けられている。
【００２０】
図例では、各側壁部２４，２４の収納奥行方向中心から第１差込孔２６，２６までの収納奥行方向に沿う寸法よりも各側壁部２４，２４の収納奥行方向中心から第２差込孔２８，２８までの収納奥行方向に沿う寸法を小とした例を示している。つまり、第１端壁部２２Ａから第１側壁部２４Ａの第１差込孔２６までの収納奥行方向に沿う寸法よりも第１端壁部２２Ａから第２側壁部２４Ｂの第２差込孔２８までの収納奥行方向に沿う寸法を大としている。また、第２端壁部２２Ｂから第２側壁部２４Ｂの第１差込孔２６までの収納奥行方向に沿う寸法よりも第２端壁部２２Ｂから第１側壁部２４Ａの第２差込孔２８までの収納奥行方向に沿う寸法を大としている。また、第１端壁部２２Ａから第１側壁部２４Ａの第１差込孔２６までの収納奥行方向に沿う寸法と第２端壁部２２Ｂから第２側壁部２４Ｂの第１差込孔２６までの収納奥行方向に沿う寸法とは、同寸法とされている。また、第１端壁部２２Ａから第２側壁部２４Ｂの第２差込孔２８までの収納奥行方向に沿う寸法と第２端壁部２２Ｂから第１側壁部２４Ａの第２差込孔２８までの収納奥行方向に沿う寸法とは、同寸法とされている。
【００２１】
また、本実施形態では、各側壁部２４，２４の第１差込孔２６，２６を、各側壁部２４，２４に長手方向に沿って延びるように設けられた第１溝２５の溝底において開口するように設けた構成としている。また、各側壁部２４，２４の第２差込孔２８，２８を、各側壁部２４，２４に長手方向に沿って延びるように設けられた第２溝２７の溝底において開口するように設けた構成としている。これら第１溝２５及び第２溝２７は、各側壁部２４，２４に収納奥行方向に間隔を空けて設けられている。また、これら第１溝２５及び第２溝２７は、溝長手方向に見て略方形溝状とされている。
また、本実施形態では、棚支持部材２０に、上下の設置方向を確認可能な目印を構成する止着部２３，２３を設けた構成としている。このような構成とすれば、棚支持部材２０の上下を正しい方向に設置することができる。これにより、例えば、上記したように各差込孔２６，２８の孔幅寸法を上下で異ならせたような場合にも、各差込孔２６，２８の上下が正しい向きとなるように棚支持部材２０を正しい向きに設置することができる。
【００２２】
また、２つの止着部２３，２３を、平面視して点対称状の位置となるように設けた構成としている。図例では、第１側壁部２４Ａと第２端壁部２２Ｂとの入隅部及び第２側壁部２４Ｂと第１端壁部２２Ａとの入隅部のそれぞれに止着部２３，２３を設けた例を示している。これら止着部２３，２３は、上記した天板保持部材５を棚支持部材２０の上端部に固定するねじ等の固着具がねじ込まれる構成とされている。天板保持部材５には、図示は省略しているが、これら止着部２３，２３に整合する位置となるように固着具が挿通される２つの挿通孔が設けられている。つまり、これら２つの挿通孔が止着部２３，２３のそれぞれに整合しなければ、棚支持部材２０の上下が逆向きであることが認識可能な構成とされている。
【００２３】
また、図例では、これら止着部２３，２３を、開環状の止着孔状とし、棚支持部材２０の全長に亘って設けた例を示している。なお、これら止着部２３，２３は、上記した支持脚２９を棚支持部材２０の下端部に固定するねじ等の固着具がねじ込まれるものでもよい。また、棚支持部材２０の上下の設置方向を確認可能な目印としては、止着部２３，２３に限られず、その他、種々の構成とされたものでもよい。さらには、このような目印を設けていない構成としてもよく、また、棚支持部材２０を、上下反転させて設置可能な構成とされたものとしてもよい。また、この棚支持部材２０は、適宜の金属系材料等から長尺筒状に押出成形された押出成形品であってもよい。
【００２４】
棚受部材１０は、棚板９の収納間口方向側端部が載置される支持片部１１と、棚支持部材２０の側壁部２４に沿わせられて取り付けられ、差込片１５を有した取付片部１３と、を備えている。支持片部１１は、上下方向に厚さ方向を沿わせて配される板状とされている。取付片部１３は、収納間口方向に厚さ方向を沿わせて配される板状とされている。図例では、取付片部１３の下端部から収納間口方向中央側に向けて突出させるように支持片部１１を設けた例を示している。また、これら支持片部１１及び取付片部１３を、収納奥行方向に延びるように長尺状としている。これら支持片部１１及び取付片部１３の収納奥行方向に沿う寸法は、棚板９の収納奥行方向に沿う寸法と略同寸法としてもよい。
【００２５】
支持片部１１の収納間口方向に沿う幅寸法は、棚板９の側端部の載置が可能なように、また、強度上の観点等から適宜の寸法としてもよい。
取付片部１３の上下方向に沿う幅寸法は、差込片１５を設けることが可能なように、また、棚板９の側端面を覆うことが可能なように適宜の寸法としてもよい。本実施形態では、この取付片部１３の上下方向に沿う幅寸法を、棚板９の厚さ寸法よりも大としている。つまり、取付片部１３に、棚板９の上面よりも上方側に向けて延出する延出部を設けた構成としている。このような構成とすれば、この延出部を、棚板９の側方側の落下防止壁として機能させることもできる。なお、このような態様に代えて、取付片部１３の上下方向に沿う幅寸法を、棚板９の厚さ寸法以下としてもよい。また、支持片部１１及び取付片部１３の両方または一方の収納奥行方向に沿う寸法を、棚板９の収納奥行方向に沿う寸法よりも小としてもよい。また、取付片部１３の下端部に支持片部１１を設けた態様に代えて、取付片部１３の上端部や上下方向途中部位に支持片部１１を設けた態様等としてもよい。
【００２６】
また、取付片部１３には、収納奥行方向に間隔を空けて２つの差込片１５，１５が対状に設けられている。これら差込片１５，１５は、取付片部１３の収納奥行方向略中央部に位置するように設けられている。また、これら差込片１５，１５は、収納奥行方向に厚さ方向を沿わせて配される板状とされている。また、これら差込片１５，１５は、図２（ｂ）に示すように、取付片部１３の厚さ方向一方側から厚さ方向外側（支持片部１１とは異なる側）に向けて突出するように設けられている。これら差込片１５，１５の突出寸法は、図１（ｂ）に示すように、棚支持部材２０の収納間口方向に沿う寸法の１／２よりも大とされている。つまり、これら差込片１５，１５は、棚支持部材２０の差込孔（第１差込孔２６または第２差込孔２８）に差し込まれた状態で、先端部が棚支持部材２０の収納間口方向中心を超えるように設けられている。
【００２７】
また、これら差込片１５，１５には、図２（ｂ）に示すように、突出方向先端部から下方側に向けて延出するように抜止部１６，１６が設けられている。これら抜止部１６，１６は、差込片１５，１５が棚支持部材２０の差込孔（第１差込孔２６または第２差込孔２８）に差し込まれた状態で、側壁部２４の内側面に当接される構成とされている。
また、これら差込片１５，１５は、取付片部１３から切起状に設けられている。取付片部１３には、これら差込片１５，１５の抜き加工によって開口１４，１４が設けられている。図例では、これら開口１４，１４を、収納間口方向に見て棚支持部材２０と重なり合うように設けた例を示している（図１（ａ）参照）。
【００２８】
また、本実施形態では、図１（ｂ）に示すように、棚受部材１０に、棚支持部材２０の側壁部２４に設けられた溝（本実施形態では、第１溝）２５に嵌め込まれる突部１７，１９を設けた構成としている。このような構成とすれば、第１溝２５に嵌め込まれた突部１７，１９と第１差込孔２６及び第２差込孔２８に差し込まれた差込片１５，１５とによって棚支持部材２０に対する棚受部材１０のがたつきを抑制することができる。また、それぞれに第１溝２５に嵌め込まれる複数（図例では、２つ）の突部１７，１９を棚受部材１０に設けた構成としている（図２（ｂ）参照）。図例では、取付片部１３の上端側部位に突部１７を設け、取付片部１３の下端部から一連状に下方側に向けて延出するように設けられた延出片部１８の下端側部位に突部１９を設けた例を示している。これら突部１７，１９は、取付片部１３及び延出片部１８のそれぞれにプレス加工等によって形成されたものでもよい。また、延出片部１８は、支持片部１１から抜き加工状に設けられている。支持片部１１には、延出片部１８の抜き加工によって開口１２が設けられている。なお、棚受部材１０は、適宜の金属系材料等から形成されたものでもよい。
【００２９】
また、上記した吊下部材７の長手方向の各端部に、棚受部材１０の差込片１５と概ね同様、棚支持部材２０の差込孔（第１差込孔２６及び第２差込孔２８）に差し込まれる差込片を設けた構成としてもよい。
また、本実施形態では、各側壁部２４，２４のそれぞれに、平面視して点対称状の位置となるように複数の差込孔として第１差込孔２６，２６及び第２差込孔２８，２８を設けた例を示しているが、このような態様に限られない。各側壁部２４，２４のそれぞれに、単一の差込孔を点対称状に設けた態様としてもよい。または、各側壁部２４，２４のそれぞれに、単一若しくは複数の差込孔を非点対称状に設けた態様としてもよい。本実施形態に係る収納装置１の上記した各部材及び各部の構成は、一例に過ぎず、その他、種々の変形が可能である。
【符号の説明】
【００３０】
１      収納装置
９      棚板
１０    棚受部材
１５    差込片
２０    棚支持部材
２３    止着部（目印）
２６    第１差込孔（差込孔）
２８    第２差込孔（差込孔）
【図１】
2020192110.tif 000003
【図２】
2020192110.tif 000004
【図３】
2020192110.tif 000005